(57)【特許請求の範囲】
【請求項１】
第１のターボ機械スプリッタ段（１６）のブレード（１４）の向きを調節するための第１の調節部材（１２）と、第２のターボ機械スプリッタ段（２２）のブレード（２０）の向きを調節するための第２の調節部材（１８）とを駆動するための駆動機構（１０）にして、ターボ機械の中で両方の調節部材（１２、１８）を同時に駆動して移動させるための手段を含む駆動機構（１０）であって、
第１の調節部材（１２）および第２の調節部材（１８）を同時に駆動する単一の駆動輪（２４）を含み、駆動輪（２４）と第１の調節部材（１２）および第２の調節部材（１８）のいずれかとの間に配置され、異なる速度伝達比を有する２つのギア段（２６、２８）を含み、
第２の調節部材（１８）と関連するギア段（２８）の速度伝達比が、ターボ機械の中で駆動輪（２４）の角度位置に応じて変化する
ことを特徴とする、駆動機構（１０）。
【請求項２】
第２の調節部材（１８）と関連するギア段（２８）が、駆動輪（２４）に噛み合わされる第１の歯車（３２）と、第２の調節部材（１８）の歯付き部分（４４）に噛み合わされる第２の歯車（３４）と、ギア段（２８）の速度伝達比を変化させるように両方の歯車（３２、３４）を互いにからませるためのカップリング手段（４０、４２）とを含むことを特徴とする、請求項１に記載の駆動機構（１０）。
【請求項３】
第２の調節部材（１８）と関連するギア段（２８）が、ギア段（２８）の速度伝達比を非線形に変化させるように作られることを特徴とする、請求項２に記載の駆動機構（１０）。
【請求項４】
第２の調節部材（１８）と関連するギア段（２８）の両方の歯車（３２、３４）の回転軸（３６、３８）が、互いに関して平行であり、オフセットされることを特徴とする、請求項３に記載の駆動機構（１０）。
【請求項５】
両方の歯車のうちの一方（３２）が、溝（４０）を含み、他方の歯車（３４）が、前記他方の歯車（３４）から軸線方向に突出するフィンガ（４２）を含み、フィンガ（４２）が、溝（４０）に収容され、第１の歯車（３２）から第２の歯車（３４）にトルクを伝達するように溝（４０）と協働することができることを特徴とする、請求項４に記載の駆動機構（１０）。
【請求項６】
溝（４０）が、第１の歯車（３２）に形成され、フィンガ（４２）が、第２の歯車（３４）によって担持されることを特徴とする、請求項５に記載の駆動機構（１０）。
【請求項７】
第１の調節部材（１２）と関連するギア段（２６）が、駆動輪（２４）に噛み合わされる第３の歯車（３０）と、第１の調節部材（１２）の相補的な歯付き部分（４４）とを含むことを特徴とする、請求項１から６のいずれかに記載の駆動機構（１０）。
【請求項８】
各スプリッタ段が、前記スプリッタ段（１６、２２）のブレード（１４、２０）の向きを調節するための調節部材（１２、１８）を含み、両方の調節部材（１２、１８）が、ターボ機械の主軸の周りにターボ機械の中で回転自在に可動であり、請求項１から７のいずれかに記載の駆動機構（１０）によって回転自在に駆動されることを特徴とする、前記ブレード（１４、２０）の向きが変更され得る２つのスプリッタ段（１６、２２）を含む、航空機ターボ機械。
【請求項９】
各調節部材（１２、１８）が、これらに関連するギア段（２６、２８）と関連する第１の歯付き部分（４４）と、これらに関連するスプリッタ段（１６、２２）の各ブレード（１４、２０）によって担持される歯車と噛み合う第２の歯付き部分とを含むことを特徴とする、請求項８に記載のターボ機械。
【発明の詳細な説明】
【技術分野】
【０００１】
本発明は、いくつかのターボ機械スプリッタ段のブレードの向きを調節するための部材を駆動するための機構に関する。
【０００２】
より詳細には、本発明は、両方の調節部材を互いに関して異なる変位速度で同時に駆動できるようにする２つの調節部材を駆動するための機構に関する。
【背景技術】
【０００３】
ターボ機械の圧縮機および／またはタービンは、いくつかの段から成り、各段は、ガス流スプリッタを含む。
【０００４】
その効率を最適化するように、ターボ機械の動作条件に応じてスプリッタのブレードの向きを変更することが知られている。
【０００５】
知られている実施形態によれば、スプリッタのブレードの向きの変更は、各ブレードと関連する部材と協働するコントロールシャフトまたはブレードの向きを制御するためのコントロールボックスまでも含むアクチュエータによって制御される。
【０００６】
両方のスプリッタ段のブレードを駆動するために単一のシャフトを使用すると、構成要素の数をターボ機械の中で制限できるようになるが、このシステムの大部分が特に重要であり、それは、大きな寸法を有するターボ機械に関してこの解決策に有利に働く必要がある。
【０００７】
コントロールボックスの使用は、いかなるターボ機械のサイズにも適している。しかしながら、この解決策は、多数の構成要素を含み、それは、非常に多くの構成要素の間の累積クリアランスおよびそれらのそれぞれの変形のため、システム精度を減少させる。
【発明の概要】
【発明が解決しようとする課題】
【０００８】
本発明の目的は、省スペース化であるのみならずまた部品点数の低減を含むブレードの向きを調節するための手段を駆動するための機構を提供することである。
【課題を解決するための手段】
【０００９】
本発明は、第１のターボ機械スプリッタ段のブレードの向きを調節するための第１の調節部材と、第２のターボ機械スプリッタ段のブレードの向きを調節するための第２の調節部材とを駆動するための駆動機構にして、ターボ機械の中で両方の調節部材を同時に駆動して移動させるための手段を含む駆動機構であって、
第１の調節部材および第２の調節部材を同時に駆動する単一の駆動輪を含み、駆動輪と第１の調節部材および第２の調節部材のいずれかとの間に配置され、異なる速度伝達比を有する２つのギア段を含むことを特徴とする、駆動機構を提供する。
【００１０】
この種の駆動機構により、駆動の機能および速度伝達比の可変性が集中されて構成要素の数が減少し、それによって駆動機構の質量を減少させることができるようになる。
【００１１】
好ましくは、第２の調節部材と関連するギア段の速度伝達比は、ターボ機械の中で駆動輪の角度位置に応じて変化する。
【００１２】
好ましくは、第２の調節部材と関連するギア段は、駆動輪に噛み合わされる第１の歯車と、第２の調節部材の歯付き部分に噛み合わされる第２の歯車と、ギア段の速度伝達比を変化させるように両方の歯車を互いにからませるためのカップリング手段とを含む。
【００１３】
好ましくは、第２の調節部材と関連するギア段は、ギア段の速度伝達比を非線形に変化させるように作られる。
【００１４】
好ましくは、第２の調節部材と関連するギア段の両方の歯車の回転軸は、互いに関して平行であり、オフセットされる。
【００１５】
好ましくは、両方の歯車のうちの一方は、溝を含み、他方の歯車は、前記他の歯車から軸線方向に突出するフィンガを含み、フィンガは、溝に収容され、第１の歯車から第２の歯車にトルクを伝達するように溝と協働することができる。
【００１６】
好ましくは、溝は、第１の歯車に形成され、フィンガは、第２の歯車によって担持される。
【００１７】
好ましくは、第１の調節部材と関連するギア段は、駆動輪に噛み合わされる第３の歯車と、第１の調節部材の相補的な歯付き部分とを含む。
【００１８】
また、本発明は、各スプリッタ段が前記スプリッタ段のブレードの向きを調節するための部材を含み、両方の調節部材がターボ機械の主軸の周りにターボ機械の中で回転自在に可動であり、本発明による駆動機構によって回転自在に駆動されることを特徴とする、そのブレードの向きが変更され得る２つのスプリッタ段を含む、航空機ターボ機械に関する。
【００１９】
好ましくは、各調節部材は、これらに関連するギア段と関連する第１の歯付き部分と、これらに関連するスプリッタ段の各ブレードによって担持される歯車と噛み合う第２の歯付き部分とを含む。
【００２０】
本発明のさらなる特徴および利点は、その理解のために添付の図を参照する次の詳細な説明を読むと明らかになるであろう。
【図面の簡単な説明】
【００２１】
【図１】単一の図は、本発明によって作られる駆動機構の図式表現である。
【発明を実施するための形態】
【００２２】
単一の図においては、第１のターボ機械スプリッタ段１６のブレード１４の向きを調節するための部材１２と、第２のターボ機械スプリッタ段２２のブレード２０の向きを調節するための部材１８とを駆動するための機構１０が示されている。
【００２３】
ブレード１４、２０の向きを調節するための部材１２、１８は、各スプリッタ段１６、２２と関連するリングからそれぞれ成っており、それは、ターボ機械（表示せず）の主軸の周りにターボ機械の中で回転自在に可動である。各リング１２、１８の軸方向端部１２ａ、１８ａは、各ブレード１４、２０によって担持される歯車と協働する歯付き部分を含む。
【００２４】
したがって、ターボ機械の中でリング１２、１８の回転により、これらに関連するスプリッタ段１６、２２のブレード１４、２０すべての同時回転が生じる。
【００２５】
ターボ機械の動作条件の変化中に、両方のスプリッタ段１６、２２のブレード１４、２０の向きは、ターボ機械の性能を最適化するように同時に変更されるべきである。したがって、第１のスプリッタ段１６のブレード１４は、第２のスプリッタ段２２のブレード２０の枢動角度に関して異なる角度で枢動する。
【００２６】
調節リング１２、１８を駆動するための機構１０は、両方のリング１２、１８を同時に駆動して移動させるように、および第１のスプリッタ段１６と関連する第１のリング１２の変位振幅が第２のスプリッタ段２２と関連する第２のリング１８の変位振幅と異なるように設計される。
【００２７】
両方のリング１２、１８の同時駆動のために、駆動機構１０は、２つのギア段２６、２８を介して両方のリング１２、１８に噛み合わされる単一の駆動輪２４を含む。
【００２８】
第１のギア段２６は、第１のスプリッタ段１６の第１のリング１２と関連し、それは、駆動輪２４に、および第１のリング１２に噛み合わされる単一の歯車３０を含む。
【００２９】
第２のギア段２８は、第２のリング１８と関連し、それは、駆動輪２４に噛み合わされる第１の歯車３２と、第２のリング１８に噛み合わされる第２の歯車３４とを含む。第２のギア段２８の両方の歯車は、第１の歯車３２から第２の歯車３４まで駆動作用力を伝達するように互に協働する。
【００３０】
各リング１２、１８の第２の軸方向端部１２ｂ、１８ｂは、第１のギア段２６またはこれに関連する第２のギア段２８の歯車３０、３４と協働する歯付き部分４４をその端部に含む。
【００３１】
第１の歯車３２および第２の歯車３４は、第１のギア段２６の歯車３０によって提供される速度伝達比と異なる速度伝達比を提供されるように互に噛み合わされる。
【００３２】
ここに、第１のギア段２６の歯車３０によって提供される速度伝達比は、線形になり、駆動輪２４の角度位置にかかわらず一定である。したがって、第２のギア段２８によって提供される速度伝達比は、線形にならない。
【００３３】
好ましい実施形態によれば、第２のギア段２８の速度伝達比は可変であり、それは、駆動輪２４の、およびしたがって第１の歯車３２の角度位置に応じて変化する。
【００３４】
第１の歯車３２および第２の歯車３４は、互いに平行に配置され、それらのそれぞれの回転軸３６、３８は、互いに平行であり、半径方向にオフセットされる。両方の歯車３２、３４は、第２のギア段２８の速度伝達比を変化させるための手段によって噛み合わされる。
【００３５】
このカップリング手段は、この場合、溝４０にあり、その各々のトラッキングフィンガ４２アセンブリは、第１および第２の歯車３２、３４のいずれかによってそれぞれ担持される。
【００３６】
ここに、溝４０は、第１の歯車３２に形成され、それは、第１の歯車３２の回転軸３６に関して半径方向の主な向きから成る。フィンガ４２は、第１の歯車３２に面する第２の歯車３４の半径方向外面３４ａに関して軸方向に突出することによって、第２の歯車３４によって担持され、それは、溝４０に収容される。
【００３７】
両方の歯車３２、３４のそれぞれの回転軸３６、３８は第１の歯車３２の回転中に互いからオフセットされるので、フィンガ４２は、溝４０の中で変位され、したがって、フィンガ４２と第１の歯車３２の回転軸３６との間の距離を変更する。それによって、速度伝達比が変更される。
【００３８】
本発明は、溝４０のおよびフィンガ４２のこのただ１つの形態限定されるものではなく、溝４０は、第２のギア段２８の速度伝達比を規定する所与の原理を実現するように、直線的でなくてもよいことが理解されよう。
【００３９】
さらにまた、示された実施形態によれば、駆動輪２４の回転軸は、ギア段２６、２８の歯車３０、３２、３４の回転軸３６、３８に対して全体的に垂直である。代替的な実施形態によれば、異なる歯車２４、３０、３２、３４の回転軸は、平行である。
【００４０】
したがって、上で規定したスプリッタ段１６、２２および駆動機構１０を含むターボ機械（表示せず）は、より簡単な構造体から成る。
【図１】
0006621807.tif 000002